(57)【要約】【課題】３原色の一つに近い色で単色表示する際に輝度の低下を抑える。【解決手段】車両用モニタシステムはフルカラー液晶表示装置（ＴＦＴ−ＬＣＤ）を備えており、ＬＣＤ　ＥＣＵはステップ１００で表示制御処理を実行することによりＬＣＤの表示領域にナビゲーション情報、タコメータなどを切り替えて表示し、警告表示が必要な場合はＬＣＤの表示領域に警告を赤色で単色表示する。ＬＣＤは、そのバックライト・ユニット内に白色ＬＥＤと赤色ＬＥＤを備えている。ＬＣＤ　ＥＣＵはステップ１１０においてＬＣＤの表示領域に表示する情報がウォーニングであると判定した場合は、ステップ１２０で白色ＬＥＤと赤色ＬＥＤの両方を点灯させるように制御することにより表示輝度を確保し、表示する情報が警告ではないと判定した場合はステップ１３０において白色ＬＥＤのみを点灯させるように制御する。【選択図】　　　　図５
2004070193.tif 000002
【特許請求の範囲】
【請求項１】
複数の画素によって構成される表示領域を有する表示パネルと、この表示パネルの背面側に配置されて前記表示パネルに向けてＲＧＢ３原色に対応する成分を含む光を発する光源ユニットと、前記複数の画素の各々において前記光源ユニットから前記表示パネルを透過して前記表示パネルの表面側に発せられる光のＲＧＢ３原色に対応する成分の強度を制御して前記表示領域にフルカラー画像を表示させる表示制御手段とを備えたフルカラー表示装置において、
前記表示制御手段は、前記表示領域の少なくとも一部分を占める所定領域にＲＧＢ３原色の１つに近い色での単色表示を行う場合には、前記単色表示以外の表示を行う場合に比較して、前記所定領域に対する前記光源ユニットの発光輝度を高くすることを特徴とするフルカラー表示装置。
【請求項２】
前記表示制御手段は、前記所定領域に前記単色表示以外の表示を行う場合には、前記所定領域に対応する前記光源ユニット内の光源の発光輝度を最大発光輝度より低く制御し、前記単色表示を行う場合には、前記単色表示以外の表示を行う場合に比較して、前記所定領域に対応する前記光源の発光輝度を高くすることを特徴とする請求項１記載のフルカラー表示装置。
【請求項３】
前記光源ユニットは前記所定領域に対応する複数の光源を有しており、前記表示制御手段は、前記単色表示以外の表示を行う場合には、前記複数の光源のうちの一部のみを点灯させ、前記単色表示を行う場合には、前記単色表示以外の表示を行う場合に比較して、前記複数の光源のうち点灯させる光源の数を増加させることを特徴とする請求項１記載のフルカラー表示装置。
【請求項４】
前記複数の光源は、その一部に前記単色表示の表示色に近い所定の色で発光する第１光源を含み、前記表示制御手段は、前記単色表示以外の表示を行う場合には、前記複数の光源のうち前記第１光源を除く第２光源を点灯させ、前記単色表示を行う場合には、前記第２光源に追加して前記第１光源を点灯させることを特徴とする請求項３記載のフルカラー表示装置。
【請求項５】
前記所定の色は赤色または橙色であることを特徴とする請求項４記載のフルカラー表示装置。
【請求項６】
前記表示パネルは液晶層を有する液晶パネルであることを特徴とする請求項１ないし５のいずれか１つに記載のフルカラー表示装置。
【請求項７】
前記光源ユニットはその中に白色光源を有しており、前記表示パネル内に前記白色光源からの光を選択的に透過させる赤色フィルタ、緑色フィルタ、および青色フィルタを前記複数の画素の各々に対応して有していることを特徴とする請求項６記載のフルカラー表示装置。
【請求項８】
前記光源ユニット内の光源は、ＬＥＤまたは冷陰極管であることを特徴とする請求項６または７記載のフルカラー表示装置。
【請求項９】
複数の画素によって構成される表示領域と、前記複数の画素の各々に対応して配置され、ＲＧＢ３原色に対応する成分を含む光を発する複数の発光ユニットと、これらの発光ユニットの各々におけるＲＧＢ３原色の発光輝度を制御して前記表示領域にフルカラー画像を表示させる表示制御手段とを備えたフルカラー表示装置において、
前記表示制御手段は、前記表示領域の少なくとも一部分を占める所定領域にＲＧＢ３原色の１つに近い色での単色表示以外の表示を行う場合には、前記複数の発光ユニットのうち前記所定領域に対応する発光ユニットの発光輝度を最大発光輝度より低く制御し、前記単色表示を行う場合には、前記単色表示以外の表示を行う場合に比較して、前記所定領域に対応する前記発光ユニットの発光輝度を高くすることを特徴とするフルカラー表示装置。
【請求項１０】
前記複数の発光ユニットの各々は、放電により生成した紫外線を蛍光体に照射して励起させることにより発光する放電セルを少なくとも１つ有しており、前記複数の画素の各々においては、赤色光、緑色光、および青色光の各々をその画素に対応する放電セルのうちのいずれか１つからの光に含まれる成分として発することを特徴とする請求項９記載のフルカラー表示装置。
【請求項１１】
前記複数の発光ユニットの各々は、少なくとも一層の蛍光体層を含みその蛍光体層に電圧を印加して励起させることにより発光するＥＬ素子であり、前記複数の画素の各々においては、赤色光、緑色光、および青色光の各々をその画素に対応するＥＬ素子に含まれる蛍光体層のうちのいずれか一層からの光に含まれる成分として発することを特徴とする請求項９記載のフルカラー表示装置。
【請求項１２】
前記表示制御手段が行う前記単色表示の表示色は、赤色または橙色であることを特徴とする請求項１ないし１１のいずれか１つに記載のフルカラー表示装置。
【請求項１３】
前記表示制御手段が行う前記単色表示は、ウォーニング表示であることを特徴とする請求項１ないし１２のいずれか１つに記載のフルカラー表示装置。
【発明の詳細な説明】
【０００１】
【発明の属する技術分野】
本発明は、各画素においてＲＧＢ３原色の光の強度を制御することによりフルカラー画像を表示するフルカラー表示装置に関する。
【０００２】
【従来の技術】
フルカラー表示装置として、従来より、液晶ディスプレイ（ＬＣＤ）、プラズマディスプレイ（ＰＤＰ）、エレクトロルミネセントディスプレイ（ＥＬＤ）などが知られている。例えば、受光型（非発光型）ディスプレイであるＬＣＤの場合、液晶パネルは複数の画素によって構成される表示領域を有しており、図１１に示すように、各画素は赤色Ｒ（Ｒｅｄ）領域、緑色Ｇ（Ｇｒｅｅｎ）領域、および青色Ｂ（Ｂｌｕｅ）領域に分割されている。具体的には、これらの領域に対応してそれぞれ赤色フィルタ、緑色フィルタ、および青色フィルタを備えており、これらのフィルタによりバックライト・ユニットからの白色光のＲＧＢ成分を選択的に透過させる。ＬＣＤでは、各画素のＲＧＢ各領域に対応する液晶セルに印加する電圧を制御することにより光のＲＧＢ成分のバランスを調整して、フルカラー表示を実現する。
【０００３】
一方、発光型ディスプレイであるＰＤＰは、各画素のＲＧＢ各領域に対応して放電セルを有しており、例えばＲ領域に対応して配置された放電セルでは、放電により生成した紫外線を赤色蛍光体に照射して励起させることにより赤色で発光する。ＰＤＰでは、ＲＧＢ各領域に対応する放電セルの発光輝度を制御することにより光のＲＧＢ成分のバランスを調整して、フルカラー表示を実現する。
【０００４】
このような従来のフルカラー表示装置を車両に搭載してメータ表示やウォーニング表示、さらにカーナビゲーション・システムからのナビゲーション情報の表示など多目的に用いることが提案されている（特開平１１−９１４６１号公報）。このようなフルカラー表示装置において、エンジン油圧不足や燃料残量不足などをユーザに対して警告するための表示を行う場合、赤色あるいは橙色での単色表示が用いられる。
【０００５】
【発明が解決しようとする課題】
しかしながら、従来のフルカラー表示装置において赤色または橙色などのようなＲＧＢ３原色の一つに近い色で単色表示を行うと、その単色表示の各画素において、ＲＧＢ３原色のうちの単色表示色以外の他の２色は、ＬＣＤの場合は液晶層により透過を抑えられ、ＰＤＰやＥＬＤの場合は発光を抑えられるため、輝度は白色表示の場合のほぼ１／３となり、従って、重要な情報であるウォーニングの表示にユーザが気づきにくいという問題があった。
【０００６】
本発明は、上記問題点に鑑みてなされたものであり、３原色の一つに近い色で単色表示する際の輝度の低下を抑えたフルカラー表示装置を提供することを目的としている。
【０００７】
【課題を解決するための手段】
上記課題を解決するため、請求項１記載のフルカラー表示装置は、複数の画素によって構成される表示領域を有する表示パネルと、この表示パネルの背面側に配置されて表示パネルに向けてＲＧＢ３原色に対応する成分を含む光を発する光源ユニットと、複数の画素の各々において光源ユニットから表示パネルを通して表示パネルの表面側に発せられる光のＲＧＢ３原色に対応する成分の強度を制御して表示領域にフルカラー画像を表示させる表示制御手段とを備えており、表示制御手段は、表示領域の少なくとも一部分を占める所定領域にＲＧＢ３原色の１つに近い色での単色表示を行う場合には、このような単色表示以外の表示を行う場合に比較して、所定領域に対する光源ユニットの発光輝度を高くする。このようにして、受光型（非発光型）フルカラー表示装置において、３原色の１つに近い色で単色表示を行う際に表示輝度を確保すると、ユーザは単色表示された情報を見落とすことなく認識することができる。
【０００８】
請求項１記載のフルカラー表示装置において、表示制御手段が所定領域に３原色の１つに近い色での単色表示を行う際に所定領域に対する光源ユニットからの発光輝度を高くするためには、請求項２記載のように、単色表示以外の表示を行う場合は所定領域に対応する光源ユニット内の光源の発光輝度を最大発光輝度より低く制御し、単色表示を行う場合には、単色表示以外の表示を行う場合に比較して、所定領域に対応する光源の発光輝度を高くするとよい。このような方法によると、従来のフルカラー表示装置における光源ユニットの構成をそのまま用いて、単色表示の際の表示輝度を確保することができる。
【０００９】
あるいは、表示制御手段は、請求項３記載のように、所定領域に対応して光源ユニット内に有する複数の光源のうち、その一部のみを単色表示以外の表示を行う場合に点灯させ、単色表示を行う場合には、単色表示以外の表示を行う場合に比較して、所定領域に対応する光源のうち点灯させる光源の数を増加させるようにしてもよい。このように、フルカラー表示装置が３原色の１つに近い色での単色表示の場合にのみ点灯する光源を光源ユニット内に備えることにより、このような単色表示を行う場合の表示輝度の低下をより確実に補うことができる。
【００１０】
所定領域における単色表示が３原色の１つに近い所定の色で行われるような場合は、請求項４記載のように、所定領域に対応する複数の光源の一部として、その単色表示色に近い所定の色で発光する光源を備えているとよい。このような構成のフルカラー表示装置の場合、単色表示以外の表示を行う場合には所定の色の光源を除く光源を点灯させ、単色表示を行う場合には所定の色の光源を追加して点灯させるようにすると、単色表示の際の表示輝度の低下をより効果的に補うことができる。
【００１１】
車両に搭載されるフルカラー表示装置などの場合は、ウォーニングなどの重要な情報が赤色あるいは橙色で表示されることが多いため、請求項５記載のように、単色表示の際に点灯させる光源として赤色または橙色の光源を備えているとよい。従来のフルカラー表示装置では赤色や橙色での単色表示の場合は表示輝度が大きく低下するため、このような色の光源を追加して点灯させると、効果的に表示輝度を補うことができる。
【００１２】
フルカラー表示装置が、請求項６記載のように、表示パネル内に液晶層を有する所謂液晶表示装置であり、請求項７および８記載のように、白色光源（ＬＥＤまたは冷陰極管）からの白色光をカラーフィルタで選択的に透過させることによりフルカラー表示を実現する液晶表示装置である場合は、請求項２記載のように、所定領域にＲＧＢ３原色の１つに近い色での単色表示を行う際には、所定領域に対応する白色光源を通常時より発光輝度を高めることにより表示輝度を確保するとよい。また、フルカラー液晶表示装置が車両などに搭載してウォーニングなどの表示に用いられる場合は、請求項４および５記載のように、赤色または橙色の光源（ＬＥＤまたは冷陰極管）を所定領域に対応して備えて、赤色または橙色での単色表示の際には、白色光源に追加して赤色または橙色の光源を点灯させるようにするとよい。このようにして、白色光源を備えた液晶表示装置において、従来であると表示輝度が大きく低下する赤色または橙色での単色表示の際に、効果的に表示輝度を補うことができる。
【００１３】
請求項９記載のフルカラー表示装置は、複数の画素によって構成される表示領域と、複数の画素の各々に対応して配置され、ＲＧＢ３原色に対応する成分を含む光を発する複数の発光ユニットと、これらの発光ユニットの各々におけるＲＧＢ３原色の発光輝度を制御して表示領域にフルカラー画像を表示させる表示制御手段とを備えており、表示制御手段は表示領域の少なくとも一部分を占める所定領域にＲＧＢ３原色の１つに近い色での単色表示以外の表示を行う場合には、複数の発光ユニットのうち所定領域に対応する発光ユニットの発光輝度を最大発光輝度より低く制御し、単色表示を行う場合には、単色表示以外の表示を行う場合に比較して、所定領域に対応する発光ユニットの発光輝度を高くする。このようにして、発光型フルカラー表示装置において、３原色の１つに近い色で単色表示を行う際に表示輝度を確保すると、ユーザは単色表示された情報を見落とすことなく認識することができる。
【００１４】
請求項１０記載のように、発光型フルカラー表示装置が所謂プラズマディスプレイである場合は、所定領域にＲＧＢ３原色の１つに近い色での単色表示を行う際には、所定領域に対応する放電セルの発光輝度を高めることにより、表示輝度を確保することができる。あるいは、請求項１１記載のように、発光型フルカラー表示装置が所謂エレクトロルミネセントディスプレイである場合は、所定領域にＲＧＢ３原色の１つに近い色での単色表示を行う際には、所定領域に対応するＥＬ素子の発光輝度を高めることにより、表示輝度を確保することができる。
【００１５】
また、車両に搭載されるフルカラー表示装置などの場合は、上記のように、ウォーニングなどの重要な情報が赤色あるいは橙色で表示されることが多く、また赤色や橙色での単色表示の場合は従来のフルカラー表示装置では表示輝度が大きく低下するため、請求項１２記載のように、単色表示の表示色が赤色または橙色の場合に請求項１〜４および９のいずれかに記載の方法により表示輝度を確保すると効果的である。
【００１６】
さらに、請求項１３記載のように、ＲＧＢ３原色の１つに近い単色で所定領域に単色表示される情報がユーザに対するウォーニングである場合は、このような単色表示の際の表示輝度を確保することは特に有効である。ユーザにとって重要な情報であるウォーニングが低い表示輝度で表示されると、ユーザがウォーニング表示を見落としてしまう恐れがある。そこで、請求項１〜４および９のいずれかに記載の方法により表示輝度を確保すると、ユーザは重要な情報であるウォーニングを見落とすことなく認識することができる。
【００１７】
【発明の実施の形態】
（第１実施形態）
本発明の第１実施形態に係る表示装置は、サイドライト形ＴＦＴ−ＬＣＤ（Ｔｈｉｎ　Ｆｉｌｍ　Ｔｒａｎｓｉｓｔｏｒ　Ｌｉｑｕｉｄ　Ｃｒｙｓｔａｌ　Ｄｉｓｐｌａｙ）と、このＬＣＤを制御するＬＣＤ　ＥＣＵからなり、車両の車室内において乗員に様々な情報を表示するためのモニタシステムに組み込まれる。図１はモニタシステム１の構成を示す図である。ＬＣＤ２は車室内のインストルメントパネルの運転席側などに配設されており、ＬＣＤ　ＥＣＵ３はインストルメントパネル内でＬＣＤ２に接続されている。ＬＣＤ　ＥＣＵ３には、ＶＩＣＳ受信装置４、オーディオＥＣＵ５、ナビゲーションＥＣＵ６、テレビ（ＴＶ）ＥＣＵ７、および後方監視カメラ８が接続されている。ＬＣＤ２および各ＥＣＵ３〜７は、車両のアクセサリ・スイッチが乗員によりオンにされると電源が投入されて作動する。
【００１８】
ＶＩＣＳ受信装置４はＶＩＣＳ情報を受信して、このＶＩＣＳ情報を示すＶＩＣＳ信号をＬＣＤ　ＥＣＵ３に出力する。オーディオＥＣＵ５は、ＣＤプレーヤ、ＭＤプレーヤ、カセットプレーヤ、ラジオ等に関する情報を示す信号をＬＣＤＥＣＵ３に出力する。ナビゲーションＥＣＵ６は、ＧＰＳ受信機（図示せず）からの信号に基づいて車両の現在位置を特定すると共に、ＣＤ−ＲＯＭ、ＤＶＤ−ＲＯＭ、ＨＤＤ等（図示せず）から地図データを読み出し、車両の現在位置および地図などの情報を示す映像信号をＬＣＤ　ＥＣＵ３に出力する。ＴＶ　ＥＣＵ７はＴＶチューナー（図示せず）からの映像信号をＬＣＤ　ＥＣＵ３に出力する。
【００１９】
さらにＬＣＤ　ＥＣＵ３は、各種センサから、例えば車内ＬＡＮ（図示せず）を介して、車両の走行速度を示す速度信号、エンジンの回転数を示すイグニション信号、ギアがバックポジションに入れられていることを示すＲＥＶ信号など各種センサ信号を受け取り、また、油圧スイッチからのエンジン油圧不足を警告する信号など各種ウォーニング信号を受け取る。
【００２０】
図２（Ａ）はＬＣＤ２の構成を示す断面図であり、図２（Ｂ）はインストルメントパネルにはめ込まれたＬＣＤ２を示す正面図である。ＬＣＤ２は、表示パネルであるＴＦＴパネル２１と、その背面からＴＦＴパネル２１に向けて光を照射するバックライト・ユニット２２とからなる。バックライト・ユニット２２は、光源であるＬＥＤ９０、光源からの光を導くアクリル導光板９１、導光板９１の下部に配設されて導光板９１から下部に漏れた光を反射する反射シート９２、輝度むらを低減するために導光板９１の上部に配設される拡散シート９３、輝度向上のために拡散シート９３の上に配設されるプリズムシート９４からなる。ＴＦＴパネル２１は、前面ガラス基板９５と背面ガラス基板９６の間に、バックライト・ユニット２２からの光を選択的に透過させるカラーフィルタ層９７、液晶層９８、および液晶層９８に電圧を印加するための電極９９を有しており、さらにガラス基板９５、９６の外側にバックライト・ユニット２２からの光を偏光させる偏光板８９を有している。
【００２１】
ＴＦＴパネル２１の最上面には表示領域２３が形成されており、この表示領域２３は図２（Ｂ）に示すようにインストルメントパネル内にスピードメータに隣接してはめ込まれている。乗員は、リモコン２５を用いて、表示領域２３に表示される情報を切り替えることができる。リモコン２５からのリモコンスイッチ信号は、受信機２４により受け取られて、ＬＣＤ　ＥＣＵ３に入力される。図２（Ａ）に示すように、カラーフィルタ層９７は表示領域２３を構成する各画素２６に対応して赤色フィルタ（Ｒ）、緑色フィルタ（Ｇ）、および青色フィルタ（Ｂ）を備えており、これらの各フィルタに対応する液晶層９８の液晶セルに印加する電圧を制御することによりフルカラー表示を実現することができる。
【００２２】
図３は導光板９１におけるＬＥＤ９０の配置を示す図である。複数のＬＥＤ９０が導光板９１の両側面に列設されており、これらのＬＥＤ９０には白色ＬＥＤ９０ａと赤色ＬＥＤ９０ｂが含まれている。
【００２３】
ＬＣＤ　ＥＣＵ３は、図１に示すように、ＣＰＵ３１、第１、第２インタフェース回路３２、３３、グラフィック回路３４、および画像切替インタフェース回路３５を有している。第１インタフェース回路３２は、受信機２４からのリモコンスイッチ信号、ＶＩＣＳ受信装置４からのＶＩＣＳ信号、およびオーディオＥＣＵ５からのオーディオ情報信号を受取って、ＬＣＤ操作データ、ＶＩＣＳ情報、オーディオ情報を生成する。第２インタフェース回路３３は、センサ信号およびウォーニング信号を受け取って、車両速度データ、エンジン回転数データ、警告データなど車両の状態に関するデータを生成する。第１、第２インタフェース回路３２、３３により生成されたデータはＣＰＵ３１により受け取られる。ＣＰＵ３１は、乗員によるリモコン２５の操作を示すＬＣＤ操作データや車両の状態などに基づいて、ナビゲーション情報、テレビ映像、後方監視カメラの映像、ＶＩＣＳ情報、オーディオ機器に関する情報、タコメータ、トリップメータなど車両の状態に関する情報、ウォーニング表示など車両の異常に関する情報等の中から、ＬＣＤ２の表示領域２３に表示する情報を決定して表示指示信号Ｓ１を画像切替インタフェース回路３５に出力する。
【００２４】
グラフィック回路３４は、ＣＰＵ３１からの指示により、車両の異常を知らせるウォーニング表示等の映像信号、車両の状態を示すタコメータ、トリップメータ等の映像信号、ＶＩＣＳ情報を示す映像信号、オーディオ機器情報を示す映像信号を生成して、画像切替インタフェース回路３５に出力する。画像切替インタフェース回路３５は、ＣＰＵ３１からの表示指示信Ｓ１に基づいて、グラフィック回路３４からの映像信号、ナビゲーションＥＣＵ６からの映像信号、ＴＶ　ＥＣＵ７からの映像信号、後方監視カメラからの映像信号のうちの１つを選択して、ＬＣＤ２に出力する。
【００２５】
このようにして、ＬＣＤ２の表示領域２３には、タコメータやウォーニング表示、ナビゲーション情報などが適宜切り替えて表示される。特に、車両に異常が発生した場合や、あるいはＶＩＣＳ受信装置４によって緊急情報が受信された場合は、ＬＣＤ２の表示領域２３にウォーニング表示あるいは緊急情報を表示するための表示指示信号Ｓ１がＣＰＵ３１により生成されて、これにより表示が切り替えられる。ウォーニング表示は赤色で単色表示され、例えばエンジン油圧不足が検出された場合、図４に示すようなウォーニング表示が赤色で表示される。
【００２６】
図５はＬＣＤ　ＥＣＵ３のＣＰＵ３１によって実行されるＬＣＤ制御処理の手順を示すフローチャートである。この処理は車両のアクセサリ・スイッチがオンにされてＬＣＤ２およびＬＣＤ　ＥＣＵ３に電源が投入されると開始され、アクセサリ・スイッチがオフにされるまで処理は継続される。まずステップ１００でＬＣＤ表示処理が実行され、上記のように、ＬＣＤ２の表示領域２３に表示する情報の決定や必要な画像データの生成を行う。決定した情報の表示を指示する表示指示信号Ｓ１が画像切替インタフェース回路３５に出力される。つぎにステップ１１０で、ＬＣＤ２の表示領域２３に表示すると決定した情報がウォーニングであるかどうか判定される。ウォーニングである場合は、ステップ１２０に進み、ここで、ＬＣＤ２において白色ＬＥＤ９０ａと赤色ＬＥＤ９０ｂの両方が点灯するように制御するための制御信号Ｓ２をＬＣＤ２に出力する。ステップ１１０でＬＣＤ２の表示領域２３に表示する情報がウォーニングではないと判定した場合は、ステップ１３０に進み、ここで、ＬＣＤ２において白色ＬＥＤ９０ａのみが点灯するように制御するための制御信号Ｓ２をＬＣＤ２に出力する。
【００２７】
このように本実施形態では、ＬＣＤ２の表示領域２３にウォーニングが赤色で単色表示される際に、白色のＬＥＤ９０ａに追加して赤色のＬＥＤ９０ｂを点灯させることにより、ユーザがウォーニング表示を見落とすことなく認識できるように表示輝度を確保する。
【００２８】
本実施形態のＴＦＴパネル２１は本発明の表示パネルに対応しており、バックライト・ユニット２２は本発明の光源ユニットに対応しており、ＬＣＤ　ＥＣＵ３は本発明の表示制御手段に対応している。また、ＴＦＴパネル２１の表示領域２３は、本発明におけるパネルの所定領域に対応している。
【００２９】
（第２実施形態）
第１実施形態ではウォーニング表示の際に光源として追加して点灯するための赤色ＬＥＤ９０ｂをＬＣＤ２が有していたのに対して、本実施形態ではＬＣＤ２は図６に示すように白色ＬＥＤ９０ａのみを光源として有している。これらの白色ＬＥＤ９０ａは最大輝度の８０％の輝度で点灯させれば通常のフルカラー表示時には十分な表示輝度を確保することができるような発光能力を備えたものである。そこで、通常は白色ＬＥＤ９０ａを最大輝度の８０％で点灯させ、ウォーニング表示の際には白色ＬＥＤ９０ａを１００％の輝度で点灯させる。
【００３０】
具体的には、ＬＣＤ　ＥＣＵ３は図７に示す手順で表示処理を実行する。まずステップ２００でＬＣＤ表示制御を実行して、ＬＣＤ２の表示領域２３に表示する情報の決定や必要な画像データの生成を行う。つぎにステップ２１０で、減光率（各白色ＬＥＤ９０ａの発光輝度を所定の発光輝度から下げる割合）を設定する。本実施形態では、ＬＣＤ　ＥＣＵ３はＬＣＤ２の周囲の明るさを示す照度信号をこのＬＣＤ２またはその周辺に設けた図示していない光センサから受け取り、これに基づいてステップ２１０で減光率を設定する。このようにして減光率を設定する狙いは、ＬＣＤ２の周囲の明るさとＬＣＤ２の表示輝度が所定の関係となるように白色ＬＥＤ９０ａの発光輝度を抑制して、乗員がＬＣＤ２の表示を見やすくすることにある。ステップ２２０では、ＬＣＤ２の表示領域２３に表示すると情報がウォーニングであるかどうか判定する。ウォーニングである場合は、ステップ２３０に進み、ここで、白色ＬＥＤ９０ａの発光輝度を、最大輝度×（１００−減光率）％に決定し、ＬＣＤ２において白色ＬＥＤ９０ａがその発光輝度で点灯するように制御するための制御信号Ｓ２をＬＣＤ２に出力する。ステップ２２０でＬＣＤ２に表示される情報がウォーニングではないと判定した場合は、ステップ２４０に進み、ここで、白色ＬＥＤ９０ａの発光輝度を、最高輝度×８０％×（１００−減光率）％に決定し、ＬＣＤ２において白色ＬＥＤ９０ａがその発光輝度で点灯するように制御するための制御信号Ｓ２をＬＣＤ２に出力する。
【００３１】
本実施形態によると、白色ＬＥＤ９０ａの輝度を制御することによりウォーニング表示の場合の表示輝度を確保するため、ＬＣＤ２は赤色ＬＥＤを光源の一部として備える必要がない。また、本実施形態はウォーニングを赤色以外の色で単色表示する場合、およびウォーニングが特定の色ではなく任意の色で単色表示される場合にも適用することができる。但し、本実施形態はウォーニングが３原色の１つに近い色で単色表示される場合に適用すると効果的である。ここで、３原色の１つに近い色とは、ＲＧＢ３原色の１つである色であるか、３原色の１つにより低い明るさでもう１つの原色を合わせることにより得られる混色である。従来の液晶表示装置において、このような３原色の１つに近い色で単色表示を行うと、白色表示に比較して大きく表示輝度が低下するため、このような場合に本実施形態を適用すると効果的である。
【００３２】
本発明は上記実施例に限定されることはなく、特許請求の範囲に記載した発明の範囲内でつぎのように種々の変形が可能である。
【００３３】
上記第１実施形態ではウォーニングがＬＣＤ２の表示領域２３全体に表示される場合に本発明を適用したが、ウォーニングが表示領域２３の一部分に形成されているウォーニングエリア２７に表示される場合に対して本発明を適用することもできる。図８（Ａ）は本変形例の表示装置における光源（ＬＥＤ）の配置を示す図であり、図８（Ｂ）は図８（Ａ）に示す線ＩＩＸ−ＩＩＸにおける断面図である。導光板９１の両側面には白色ＬＥＤ９０ａが配置されており、さらにウォーニングエリア２７に対応する部分には導光板９１の背面側に赤色ＬＥＤ９０ｂが配置されている。赤色ＬＥＤ９０ｂの周囲には漏光を防止するための遮光板９１ａが取り付けられている。図５に示した上記第１実施形態のＬＣＤ表示処理と同様の処理により、ウォーニング表示時には白色ＬＥＤ９０ａに加えて赤色ＬＥＤ９０ｂを点灯するように制御する。但し、上記第１実施形態では、ウォーニングを表示する必要がある場合には、ステップ１００の表示制御処理において、ＬＣＤ２の表示領域２３に表示する情報としてウォーニングのみが選択され、従ってウォーニングのみが表示領域２３に表示された。これに対して、本変形例では、ステップ１００の表示制御処理において、ウォーニングエリア２７に表示する情報としてはウォーニングが選択され、それ以外の領域に表示する情報としてウォーニング以外の情報が選択される。このようにして、ウォーニング表示と他の情報の表示を同時に行うことが可能である。本変形例のウォーニングエリアは本発明におけるパネルの所定領域に対応している。
【００３４】
上記実施形態ではＴＦＴ−ＬＣＤに本発明を適用したが、ＴＦＴ−ＬＣＤ以外のＬＣＤに本発明を適用することもできる。また上記実施形態ではサイドライト式ＬＣＤに本発明を適用したが、光源（白色ＬＥＤ）がＴＦＴパネル（ＬＣＤパネル）の真下に配置される直下バックライト式ＬＣＤに本発明を適用することもできる。ウォーニングがＬＣＤ２の表示領域２３全体に表示される直下バックライト式ＬＣＤに上記第１実施形態を適用する場合は、白色ＬＥＤに追加して配設される赤色ＬＥＤはＬＣＤ２の表示領域２３全体に対応する部分に平均的に配置される。所定のウォーニングエリア２７のみにウォーニングが表示される直下バックライト式ＬＣＤに上記第１実施形態を適用する場合は、白色ＬＥＤに追加して配設される赤色ＬＥＤはウォーニングエリア２７に対応する部分にのみ配置される。
【００３５】
また、ウォーニングがＬＣＤ２の表示領域２３全体に表示される直下バックライト式ＬＣＤに上記第２実施形態を適用する場合は、通常は８０％の発光輝度で点灯すれば十分な表示輝度が得られるような発光能力を備えた白色ＬＥＤがＬＣＤ２の表示領域２３全体に対応する部分に配設される。この場合、ＬＣＤ　ＥＣＵ３は図６に示すのと同様なＬＣＤ表示処理を実行する。一方、所定のウォーニングエリア２７にウォーニングが表示される直下バックライト式ＬＣＤに上記第２実施形態を適用する場合、通常は８０％の発光輝度で点灯すれば十分な表示輝度が得られるような発光能力を備えた白色ＬＥＤはウォーニングエリア２７に対応する部分のみに配設され、ウォーニングエリア２７以外の領域に対応する部分には１００％の発光輝度で点灯した場合に通常の表示輝度が得られるような発光能力の白色ＬＥＤが配設される。この場合、ＬＣＤ　ＥＣＵ３は図６に示すのと同様なＬＣＤ表示処理を実行するが、但しステップ２４０では、ウォーニングエリア２７以外の領域の白色ＬＥＤの発光輝度は最大輝度×（１００−減光率）％に決定し、ウォーニングエリア２７の白色ＬＥＤの発光輝度は最大輝度×８０％×（１００−減光率）％に決定する。このようにして、ウォーニングエリア２７以外の領域の白色ＬＥＤは常に最大輝度×（１００−減光率）％で点灯するように構成する。
【００３６】
上記実施形態のＬＣＤ２では、バックライト・ユニット２２内の光源はＬＥＤ９０であったが、ＣＣＴ（冷陰極管）でもよい。
【００３７】
上記実施形態では、カラーフィルタ層９７を有する構成のＬＣＤ２に本発明を適用したが、ゲストホスト（ＧＨ）モードでフルカラー表示を実現するＬＣＤに本発明を適用することもできる。このようなＬＣＤは、カラーフィルタ層９７を有しておらず、代わりに、赤色光を吸収する層、緑色光を吸収する層、および青色光を吸収する層からなる液晶層を有しており、これらの各層に印加する電圧を制御することによりフルカラー表示を実現する。また、カラーフィルタ層９７を有しておらず、代わりに、バックライト・ユニット２２が各画素に対応して赤色光源、緑色光源、および青色光源を備えた構成のＬＣＤに本発明を適用することも可能である。
【００３８】
上記実施形態では、ウォーニングが赤色で単色表示される場合に本発明を適用したが、ウォーニングが橙色で単色表示される場合にも本発明を適用することができる。特に上記第１実施形態をウォーニングが橙色で単色表示される場合に適用する場合、上記第１実施形態ではＬＣＤ２はウォーニング表示の際に追加して点灯するための光源として赤色ＬＥＤ９０ｂを備えていたのに対して、本変形例のＬＣＤは、ウォーニング表示の際に追加して点灯するための光源として橙色ＬＥＤを備えているとよい。このように、ウォーニング表示時に白色ＬＥＤに追加して点灯するＬＥＤの発光色が、ウォーニングの単色表示に用いられる色と近いほど、ウォーニング表示時の表示輝度の低下をより効率的に補うことができる。
【００３９】
なお、上記第２実施形態は、ＬＣＤ２に限らず、発光型ディスプレイであるプラズマディスプレイ（ＰＤＰ）あるいはエレクトロルミネセントディスプレイ（ＥＬＤ）にも適用することができ、また、ＰＤＰあるいはＥＬＤの表示領域全体にウォーニングが表示される場合にも、所定のウォーニングエリアに表示される場合にも適用することができる。ＰＤＰは、その表示領域を構成する複数の画素の各々に対応して、例えば、赤色で発光する放電セル、緑色で発光する放電セル、青色で発光する放電セルを備えている。図９は赤色で発光する放電セル７０の構成を示す図である。放電セル７０にはキセノン混合ガス７１が封入されており、放電セル７０はキセノン混合ガス７１に電圧を印加するための電極７２を有している。キセノン混合ガス７１に電圧を印加すると放電により紫外線７３を放射し、この紫外線７３が赤色蛍光体７４を励起させることにより赤色で発光する。ＰＤＰでは、ＲＧＢの光をそれぞれ発する放電セル７０が表示セルとして前面ガラス基板７５と背面ガラス基板７６の間に各画素に対応して配設されており、これらの各放電セル７０の発光輝度を表示制御手段に相当するＰＤＰ　ＥＣＵが制御することによりフルカラー表示を実現する。このようなＰＤＰにおいて、通常は最大輝度の８０％ほどの発光輝度で発光させれば充分な表示輝度が得られるような放電セル７０を採用し、ウォーニング表示以外の表示の際には各放電セル７０を８０％の発光輝度で発光させ、ウォーニング表示の際にはウォーニング表示に対応する放電セル７０を１００％の発光輝度で発光させることにより表示輝度を確保する。
【００４０】
図１０はＥＬＤの表示領域を構成する複数の画素の各々に対応して配設されるＥＬ素子８０の例を示す構成図である。ＥＬ素子８０は、赤色蛍光体層８１と青緑色蛍光体層８２、および青緑色蛍光体層８２からの光を選択的に透過させるカラーフィルタ層８３を有している。電極８４に電圧を印加することにより蛍光体層８１、８２を励起させると、これらの蛍光体層８１、８２はそれぞれの色で発光する。ＥＬＤでは、ＥＬ素子８０が前面ガラス基板８５と背面ガラス基板８６の間に各画素に対応して配設されており、これらの各ＥＬ素子８０の各蛍光体層８１、８２の発光輝度を表示制御手段に相当するＥＬＤ　ＥＣＵが制御することによりフルカラー表示を実現する。このようなＥＬＤにおいて、通常は最大輝度の８０％ほどの発光輝度で発光させれば充分な表示輝度が得られるようなＥＬ素子８０を採用し、ウォーニング表示以外の表示の際には各ＥＬ素子８０の蛍光体層８１、８２を８０％の発光輝度で発光させ、ウォーニング表示の際にはウォーニング表示に対応するＥＬ素子８０の蛍光体層８１、８２を１００％の発光輝度で発光させることにより表示輝度を確保する。
【００４１】
上記実施形態において、単色表示される情報はウォーニング以外の情報でもよい。但し、本発明はユーザにとって重要な情報が単色表示される場合に適用すると効果的である。
【００４２】
上記実施形態において、本発明の表示装置は、車室内のインストルメントパネルにその表示領域２３を乗員に向けて配設されていたが、表示領域２３に表示された画像がハーフミラーにより虚像として乗員に表示されるように配置されていてもよい。
【００４３】
また、本発明の表示装置は車両に搭載して用いられる車両用表示装置に限らず、家庭用電化製品に搭載して用いられる表示装置としてなど、様々な目的に用いることができる。
【図面の簡単な説明】
【図１】本発明の第１実施形態に係る表示装置が組み込まれる車両用モニタシステムの構成図である。
【図２】（Ａ）は図１に示すＬＣＤの構成を示す断面図であり、（Ｂ）はインストルメントパネルにはめ込まれたＬＣＤを示す正面図である。
【図３】図１に示すＬＣＤにおける光源（ＬＥＤ）の配置を示す図である。
【図４】図１に示すＬＣＤの表示領域にウォーニングが表示されている例を示す図である。
【図５】図１に示すＬＣＤ　ＥＣＵによって実行される表示制御処理の手順を示すフローチャートである。
【図６】本発明の第２実施形態に係る表示装置における光源（ＬＥＤ）の配置を示す図である。
【図７】本発明の第２実施形態に係る表示装置においてＬＣＤ　ＥＣＵにより実行される表示制御処理の手順を示すフローチャートである。
【図８】（Ａ）は第１実施形態の一変形例に係る表示装置における光源（ＬＥＤ）の配置を示す図であり、（Ｂ）は（Ａ）中の線ＩＩＸ−ＩＩＸにおける断面図である。
【図９】プラズマディスプレイ（ＰＤＰ）における表示セル（放電セル）の例を示す構成図である。
【図１０】エレクトロルミネセントディスプレイ（ＥＬＤ）における発光素子（ＥＬ素子）の例を示す構成図である。
【図１１】従来のフルカラー液晶ディスプレイ（ＬＣＤ）の構成を示す図である。
【符号の説明】
２　液晶表示装置（ＬＣＤ）　（フルカラー表示装置）
３　ＬＣＤ　ＥＣＵ　（表示制御手段）
２１　ＴＦＴパネル　（表示パネル）
２２　バックライト・ユニット　（光源ユニット）
２３　表示領域　（所定領域）
２６　画素
２７　ウォーニングエリア　（所定領域）
７０　ＰＤＰの放電セル　（発光ユニット内の放電セル）
７３　紫外線
７４　蛍光体
８０　ＥＬ素子　（発光ユニット）
８１　赤色蛍光体層
８２　青緑色蛍光体層
９０　ＬＥＤ　（光源）
９０ａ　白色ＬＥＤ　（白色光源、第２光源）
９０ｂ　赤色ＬＥＤ　（第１光源）
９７　　カラーフィルタ層
９８　　液晶層
【図１】
2004070193.tif 000003
【図２】
2004070193.tif 000004
【図３】
2004070193.tif 000005
【図４】
2004070193.tif 000006
【図５】
2004070193.tif 000007
【図６】
2004070193.tif 000008
【図７】
2004070193.tif 000009
【図８】
2004070193.tif 000010
【図９】
2004070193.tif 000011
【図１０】
2004070193.tif 000012
【図１１】
2004070193.tif 000013